(57)【要約】【目的】釣り船の釣り易さの中でのシーアンカーの引き上げの容易さ、甲板での作業性の向上【構成】釣り船のシーアンカーであって、該シーアンカーの上部パラシュート部分及び下部スカート部分は布製部分から成り、中央部分が網製部分から成り、シーアンカーの上部分の頂部分に索輪を固着し、該頂部分索輪に一端をブイに固着した引き上げ紐（索）を貫通させ、他端を該シーアンカー下部のスカート部分の底部に固着した底端部索輪に貫通させ、船上の引き上げ機に直結する釣り船用のパラシュート型シーアンカーであり、該シーアンカーの上部分の頂部に索輪を固着し、該頂部索輪に浮き子を直結したパラシュート型シーアンカー。【選択図】  図１
2004161080.tif 000002
【特許請求の範囲】
【請求項１】
釣り船のシーアンカーであって、該シーアンカーの上部のパラシュート部分及び下部のスカート部分は布製部分から成り、中央部分が網製部分から成る事を特徴とする釣り船用のパラシュート型シーアンカー。
【請求項２】
釣り船のシーアンカーであって、該シーアンカーの上部のパラシュート部分及び下部のスカート部分は布製部分から成り、中央部分が網製部分から成り、該シーアンカーの上部分の頂部分に固着した索輪内を貫通した引き上げ紐にブイを固定させ、該引き上げ紐の他端を該シーアンカー下部のスカート部分の底部に固着した底端部索輪を貫通させ、船上の引き上げ機に直結する事を特徴とする請求項１記載の釣り船用のパラシュート型シーアンカー。
【発明の詳細な説明】
【０００１】
【産業上の利用分野】
釣り船のパラシュート型シーアンカーに関する。
【０００２】
【従来の技術】
関連の特許、実用新案は次の通りである。
実開昭４７−    １８９２号    公開昭和４７年  ８月２１日
実開昭４７−  ３４９９３号    公開昭和４７年１２月１９日
実開昭４８−  １１５８９号    公開昭和４８年  ２月  ８日
実開昭４８−  １１５９０号    公開昭和４８年  ２月  ８日
実開昭４８−  １６５９５号    公開昭和４８年  ２月２４日
実開昭４８−  ２９５９３号    公開昭和４８年  ４月１１日
実開昭４８−  ５１０８９号    公開昭和４８年  ７月  ３日
実開昭４８−  ５１０９０号    公開昭和４８年  ７月  ３日
実開昭４９−    ８９９６号    公開昭和４９年  １月２５日
実開昭４９−  １１４９１号    公開昭和４９年  １月３１日
実開昭４９−  ２６２９１号    公開昭和４９年  ３月  ６日
実開昭４９−  ９４３８８号    公開昭和４９年  ８月１５日
実開昭４９−１３９７９２号    公開昭和４９年１２月  ２日
実開昭４９−１３９７９３号    公開昭和４９年１２月  ２日
実開昭５０−    ５３８９号    公開昭和５０年  １月２１日
実開昭５１−  ８２２９３号    公開昭和５１年  ７月  １日
実開昭５１−１１０２９６号    公開昭和５１年  ９月  ６日
実開昭５２−    ２８８４号    公開昭和５２年  １月１０日
実開昭５２−１６０９９２号    公開昭和５２年１２月  ６日
実開昭５３−１０８０９４号    公開昭和５３年  ８月３０日
実開昭５４−      ８９４号    公開昭和５４年  １月  ６日
特開昭４７−  ２１８９５号    公開昭和４７年１０月  ５日
特開昭４８−  １８９８１号    公開昭和４８年  ３月  ９日
特開平  ７−  ５２８６８号    公開平成  ７年  ２月２８日
特開平  ８−２０９４８３号    公開平成  ８年  ８月１３日
特開平  ９−１３２１９１号    公開平成  ９年  ５月２０日
特開平  ９−２１６５９６号    公開平成  ９年  ８月１９日
特開平  ９−２２６６８１号    公開平成  ９年  ９月  ２日
特開平  ９−２５４８７０号    公開平成  ９年  ９月３０日
特開平１０−２７３０９２号    公開平成１０年１０月１３日
特開２００２−  ２５８７号    公開平成１４年  １月  ９日
特開２００２−２９４８９号    公開平成１４年  １月２９日
【０００３】
【解決すべき課題】
従来のパラシュート型シーアンカーでは、シーアンカーの上部は布製であるが、お椀型のパラシュート端部に２０本前後のロープ（綱）を結び付け、該ロープの先端を１ケ所にまとめ、船首とロープで締結させて、作業を行っていましたが、船を移動させる為、船上にシーアンカーを引き上げた時に、２０本前後の数ｍのロープが絡み合って、次に使用する時にはロープを取り揃えるのに時間がかかった。
又、他の船が急接近した時に、シーアンカーの巻き上げに時間が掛かり、衝突等の危険が多く、急な対策が不可能であった。
その上、シーアンカーのパラシュートの直径が大きく成ってくると、ロープも長くなり、ロープとロープ又はロープと船の外端（縁）部や船上の船具また作業者の足等に絡まる等のトラブルも多発している。
【０００４】
【課題を解決する為の手段】
課題を解決する為に鋭意研究した結果、本発明に到達したもので、即ち本発明は
釣り船のシーアンカーであって、該シーアンカーの上部のパラシュート部分及び下部のスカート部分は布製部分から成り、中央部分が網製部分から成る事でロープの使用を最小限にする釣り船用のパラシュート型シーアンカーでああり、
釣り船のシーアンカーであって、該シーアンカーの上部のパラシュート部分及び下部のスカート部分は布製部分から成り、中央部分が網製部分から成り、該シーアンカーの上部のパラシュート部分の頂部分に索輪を固着し、その索輪を貫通した引き上げ紐の先端にブイを固着し、該引き上げ紐の他端を該シーアンカー下部のスカート部分の底部に固着した底端部索輪に貫通させ、船上の引き上げ機に直結する事で、引き上げ紐やロープ（張索）どうしの絡まりや他部署との絡みを極小にした釣り船用のパラシュート型シーアンカー。
【０００５】
【作用】
１）シーアンカーの上部のパラシュート部分及び下部のスカート部分は布製部分から成り、中央部分が網製部分から成っているので、該シーアンカーを船上のウインチなどで引き上げる時にロープが絡まる心配が無くなる。
２）シーアンカーの上部分及び下部分は布製部分から成り、中央部分が網製部分から成り、該シーアンカーの上部分の頂部分に索輪を固着し、該頂部分索輪を貫通した引き上げ紐（ロープ）をブイ（浮子）に固着し、該引き上げ紐の他端を該シーアンカー下部の底部に固着した底端部索輪を貫通させ、船上の引き上げ機に直結するので、船上でシーアンカーを引き上げる際、シーアンカーの中央部分の網製部分から海水や空気が排除されるので、簡単にかつ迅速に半分の長さで船首の位置に吊り上げられる。又、移動後の再投入が迅速に行える。
３）船の移動時に於いて、シーアンカーを船上まで上げる事なく、シーアンカーを船首まで巻き上げ、吊したままで、ロープ（張索）の絡まりも無く移動出来る。
【０００６】
本発明を図面に基づいて説明する。第１図は、本発明のシーアンカー２の概略側面図である。
釣り船Ｓのシーアンカー２である。シーアンカー２の上部のパラシュート部分２ａ及び下部のスカート部分２ｃは布製部分から成り、中央部分２ｂが網製部分から成っている。
従来はシーアンカーの上部分だけが布製部分から成り、中央部分から下部分はロープから成り、ロープの絡まりが投入時に於いても、引き上げ後に於いても作業性を悪くする欠点がある。作業性の問題は、緊急時に於いて、衝突とか人命に拘わる重大事故に発展する恐れがある。
本発明を詳述すると、シーアンカー２の上部のパラシュート部分２ａの頂部分に索輪３ａと貫通した引き上げ索４をブイ（浮子）１と固着し、該引き上げ紐（索）４の他端を該シーアンカー下部のスカート部分２ｃの底部に固着した底端部索輪３ｂを貫通させ、船上の引き上げ機（ウインチ）に直結する。
釣り船Ｓが移動する時には、シーアンカー引き上げ機（ウインチ）８で引き上げ索４を巻き上げ、パラシュート部分２ａの頂部索輪３ａ内を貫通しブイ（浮子）に直結した引き上げ索４の先端をスカート部２ｃ内に引き込み、底部索輪３ｂ近くまで引き入れ、シーアンカー２の容積を約半分にし、尚且つ水の抵抗を無くして曳航する（図２参照）。
所望の釣り場に着いた時は、引き上げ機（ウインチ）８を緩め、船を後進してシーアンカー２を所望の形状にする。
【０００７】
本発明はシーアンカー２の上部のパラシュート部分２ａ及び下部のスカート部分２ｃは布製部分から成り、中央部分２ｂが網製部分から成り、該シーアンカーの上部分の頂部に索輪３ａを固着し、該頂部索輪３ａに浮子１を直結した方式も含まれる。（図１参照）
又、本発明はシーアンカー２の上部パラシュート部分２ａ及び下部のスカート部分２ｃは布製部分からなり、中央部分２ｂはロープを用いてパラシュートとスカート部を締結した方法も含まれる。
更に付言すれば、ロープ４の一端を船上の巻き上げ機８に固着し、その他端をスカート部分下部の索輪３ｂを貫通させパラシュート部分の頂部索輪３ａに固着させる。その索輪３ａに適宜の長さのロープ４の一端を固着させ、他端をブイ１に固着させた方式も含むものとする。
本発明に使用されるシーアンカーに用いられる、布地部分やロープ類は従来使用の疎水性繊維や合成樹脂が使用される。
【０００８】
【発明の効果】
１）シーアンカーの引き上げ時、甲板への引き上げ後の整理整頓の手間が大幅に短縮された。
２）船舶急接近の対応がやりやすく成った。人命救助に貢献する。
３）巻き上げ用に電動巻き上げ機（ウインチ）を使用する事により、遠方操作が可能になり、、小人数で作業が出来る。
４）移動が簡単に行える上、移動後の再投入が容易に成った。
【図面の簡単な説明】
【図１】図１は本発明のシーアンカーの概略側面図
【図２】図２は本発明のシーアンカーのブイと一緒に巻き上げた概略側面図
【符号の説明】
１    ブイ（浮子）
２    シーアンカー
２ａ  シイアンカー上部（パラシュウト部分）布部
２ｂ  シイアンカー中央部（網部）
２ｃ  シイアンカー下部（スカート部分）布部
２ｄ  シイアンカー紐（索）部（布部補強部）
３    索輪
３ａ  シーアンカー上部の頂部索輪
３ｂ  シーアンカー下部の底部索輪
４    シイアンカー引き上げ紐（索・ロープ）
５    シイアンカー曳航紐（索・ロープ）
６    支持片
７    ドームサル環
８    引き上げ機（ウインチ）
Ｓ    釣り船
Ｗ    水中
【図１】
2004161080.tif 000003
【図２】
2004161080.tif 000004